(57)【特許請求の範囲】
【請求項１】
挿入方向の端部が正規の幅および厚みに設けられたカードがカード挿入口を通じて所定の挿入位置まで挿入されるカード挿入部を有する本体部と、
この本体部に一体に形成され、正規の幅のカードが前記カード挿入口へ挿入されるのを許容するとともに、正規の幅より狭いカードがカード挿入口へ挿入されるのを規制する幅規制部と、
前記本体部に一体に形成され、正規の厚みのカードが前記カード挿入部の所定の挿入位置へ挿入されるのを許容するとともに、正規の厚みより薄いカードがカード挿入部の所定の挿入位置へ挿入されるのを規制する厚み規制部と
を具備し、
前記幅規制部は、前記カード挿入口の幅方向の両側部でそれぞれ独立して本体部に一体に形成され、前記カード挿入口内に進入する方向に弾性を有するとともに、前記カード挿入口へ挿入されるカードで押動されたときにカード挿入口の外側へ退避される両側の幅規制用当接部と、これら各幅規制用当接部にそれぞれ隣接して本体部に一体に形成され、各幅規制用当接部と一体にカード挿入口内に進入してカードの挿入を規制する挿入規制位置とカード挿入口の外側に退避してカードの挿入を許容する挿入許容位置との間で移動される両側の幅規制用ストッパ部とを備え、
前記各幅規制用ストッパ部は、一体に形成される幅規制用当接部に近い側より遠い側がカード挿入口の奥側に傾斜されている
ことを特徴とするカード誤挿入防止装置。
【請求項２】
各幅規制用当接部および各幅規制用ストッパ部は、カード挿入口の厚み方向の両側からカード挿入口内に進退可能とし、
各幅規制用ストッパ部は、カード挿入口で両側の幅規制用当接部間の幅方向の略全域にそれぞれ配置されているとともにカード挿入口の挿入方向の前後に並んで配置されている
ことを特徴とする請求項１記載のカード誤挿入防止装置。
【請求項３】
各幅規制用ストッパ部は、カード挿入口の幅方向の両側域に分割してそれぞれ配置されている
ことを特徴とする請求項１記載のカード誤挿入防止装置。
【請求項４】
カード挿入口の厚み方向の一側から他側へ傾斜する傾斜部がカード挿入口の幅方向の両側部でそれぞれ独立して本体部に一体に形成され、これら各傾斜部の先端側に幅規制用当接部および幅規制用ストッパ部が一体に形成されているとともに、
カード挿入口の厚み方向の一側に隔離部材が配設され、この隔離部材とカード挿入口に挿入される正規のカードとの間に、カード挿入口の厚み方向の一側へ退避される幅規制用当接部および傾斜部を弾性変形させて厚み方向に圧縮した状態に収容する
ことを特徴とする請求項１記載のカード誤挿入防止装置。
【請求項５】
カードは幅方向の両側部に切欠部を有し、
厚み規制部は、
カードの正規の厚みより薄くかつカード挿入部の両側部でカードの切欠部に対応する位置にそれぞれ独立して本体部に一体に形成され、カード挿入部内に進入する方向に弾性を有するとともに、カード挿入部に挿入されるカードで押動されたときにカード挿入部の外側へ退避される両側の厚み規制用当接部と、
これら各厚み規制用当接部にそれぞれ一体に形成され、厚み規制用当接部と一体にカード挿入部内に進入してカードの挿入を規制する挿入規制位置とカード挿入部の外側に退避してカードの挿入を許容する挿入許容位置との間で移動される両側の厚み規制用ストッパ部と、
これら各厚み規制用ストッパ部にそれぞれ一体に形成され、カードの挿入により厚み規制用当接部を介して厚み規制用ストッパ部が挿入許容位置へ退避された状態において、切欠部を通じて正規の厚みのカードがカード挿入部の所定の挿入位置へ挿入されるのを許容するとともに、正規の厚みより薄いカードがカード挿入部の所定の挿入位置へ挿入されるのを規制する突部とを備えている
ことを特徴とする請求項１ないし４いずれか記載のカード誤挿入防止装置。
【請求項６】
カードの両側の切欠部は、厚み方向の幅がそれぞれ異なって形成され、
両側の突部は、前記カードの対応する側の切欠部内へ進入可能に厚み方向の幅が異なって形成されている
ことを特徴とする請求項５記載のカード誤挿入防止装置。
【発明の詳細な説明】
【０００１】
【発明の属する技術分野】
本発明は、挿入方向の端部が正規の幅および厚みに設けられたカードの挿入を許容するとともにこのカードと異なる幅および厚みのカードの誤挿入を防止するカード誤挿入防止装置に関する。
【０００２】
【従来の技術】
従来、例えば、ＩＣカードやメモリカードなどのカードを、コネクタハウジングのカード挿入口に挿入し、コネクタハウジング側に配設されているコネクタピンに接続して使用するカード接続装置を有する機器では、カードの誤挿入によるコネクタピンの損傷などを防止するために、異なる種類のカードの挿入や正規のカードでも挿入方向が誤っている場合の挿入を阻止するカード誤挿入防止装置を備えているものがある。
【０００３】
例えば、特開平４−１１１１９２号公報に記載されているように、コネクタハウジングのカード挿入口の幅方向の両側に、カード挿入口を開閉する蓋を閉鎖状態で係止するストッパを配設しており、正規の幅のカードが挿入されたときには、両側のストッパが共に押動されることで蓋の係止が解除されてカード挿入口へのカードの挿入を許容し、また、正規の幅より狭い幅のカードが挿入されたときには、カードで一方のストッパが押動されても他方のストッパは押動されないために蓋を閉鎖状態に保ち、挿入方向の端部の幅が異なるカードの挿入を防止している。
【０００４】
また、特開平１１−３９４３５号公報に記載されているように、カード挿入口に挿入されるカードを厚み方向から挟み込んで厚みを検出する一対の挟込部、これら各挟込部に連動する一対の厚み検出レバー、およびこれら各厚み検出レバーに一体に形成された一対のシャッタを有しており、正規の厚みのカードが挿入されたときには、カードの厚みに対応して一対の挟込部間が開き、厚み検出レバーを介してシャッタが開いてカードの挿入を許容し、また、正規の厚みより薄いカードが挿入されたときには、一対の挟込部間が開かず、シャッタが閉じた状態を保ち、厚みの薄いカードの挿入を防止している。
【０００５】
また、特開平２−１２７０９３号公報または特開平１０−１８７８９６号公報に記載されているように、カードの正規挿入側の１つのコーナ部をカットしたカード形状のものにおいて、コネクタハウジング側に、そのコーナ部に連動する逆挿入防止ストッパ機構を有しており、正規の挿入方向でカードが挿入されたときには、逆挿入防止ストッパ機構が逃げてカードの挿入を許容し、また、正規と異なる挿入方向でカードが挿入されたときには、逆挿入防止ストッパ機構でカードの挿入を防止している。
【０００６】
実開昭６４−２３７６２号公報に記載されているように、カードの幅方向の両側面に左右上下非対称の凹部または凸部を設け、コネクハウジングのカード挿入口の両側面にカードに対応する凸または凹を設けることにより、カードの表裏面の逆挿入を防止している。
【０００７】
また、特開平２−２６０３７９号公報に記載されているように、コネクタハウジングにカードを厚み方向の一方に押圧して案内する圧着ばね部を一体に形成し、厚みの異なる複数種類のカードに対応可能にしている。また、カードの幅方向の両側面に左右上下非対称の凹溝を設け、コネクタハウジングのカード挿入口の両側面にカードに対応する凸部を設けることにより、カードの表裏面の逆挿入を防止している。
【０００８】
そして、これら各公報に記載されたカード誤挿入防止装置では、基本的に、直方体形状のカードの短辺側を挿入方向とする場合のカード誤挿入防止に対応した構成が記載されている。
【０００９】
【発明が解決しようとする課題】
しかしながら、特開平４−１１１１９２号公報に記載のカード誤挿入防止装置では、挿入方向の端部の幅が狭いカードの誤挿入を防止できるが、正規のカードと幅が同じでも厚みが異なるカードは挿入できてしまう。
【００１０】
また、特開平１１−３９４３５号公報に記載のカード誤挿入防止装置では、厚みが薄いカードの挿入を防止できるが、正規のカードと厚みが同じでも幅が異なるカードは挿入できてしまう。
【００１１】
また、特開平２−１２７０９３号公報または特開平１０−１８７８９６号公報に記載のカード誤挿入防止装置では、カードの逆挿入を防止できるが、１つのコーナ部がカットされた形状のカードであれば幅および厚みの異なっていても挿入できてしまう。同様に、実開昭６４−２３７６２号公報または特開平２−２６０３７９号公報に記載のカード誤挿入防止装置では、カードの逆挿入を防止できるが、幅および厚みの異なるカードが挿入できてしまう。
【００１２】
このように、従来のカード誤挿入防止装置では、カードの挿入方向の端部の幅および厚みの両方についてのカードの誤挿入の防止が十分でなく、カードが誤挿入された場合に、正常に接続使用できないのはもちろん、カードやコネクタピンを損傷させてしまう問題がある。
【００１３】
また、カードの挿入方向の端部の幅および厚みの両方についてカードの誤挿入を防止するために、特開平４−１１１１９２号公報に記載のカード誤挿入防止装置の構成と、特開平１１−３９４３５号公報に記載のカード誤挿入防止装置の構成との両方を採用することが考えられるが、これでは、部品点数が増加し、構造が複雑になる問題がある。
【００１４】
本発明は、このような点に鑑みなされたもので、簡単な構成で、カードの挿入方向の端部の幅および厚みの両方についてカードの誤挿入を防止できるカード誤挿入防止装置を提供することを目的とする。
【００１５】
【課題を解決するための手段】
請求項１記載のカード誤挿入防止装置は、挿入方向の端部が正規の幅および厚みに設けられたカードがカード挿入口を通じて所定の挿入位置まで挿入されるカード挿入部を有する本体部と、この本体部に一体に形成され、正規の幅のカードが前記カード挿入口へ挿入されるのを許容するとともに、正規の幅より狭いカードがカード挿入口へ挿入されるのを規制する幅規制部と、前記本体部に一体に形成され、正規の厚みのカードが前記カード挿入部の所定の挿入位置へ挿入されるのを許容するとともに、正規の厚みより薄いカードがカード挿入部の所定の挿入位置へ挿入されるのを規制する厚み規制部とを具備し、前記幅規制部は、前記カード挿入口の幅方向の両側部でそれぞれ独立して本体部に一体に形成され、前記カード挿入口内に進入する方向に弾性を有するとともに、前記カード挿入口へ挿入されるカードで押動されたときにカード挿入口の外側へ退避される両側の幅規制用当接部と、これら各幅規制用当接部にそれぞれ隣接して本体部に一体に形成され、各幅規制用当接部と一体にカード挿入口内に進入してカードの挿入を規制する挿入規制位置とカード挿入口の外側に退避してカードの挿入を許容する挿入許容位置との間で移動される両側の幅規制用ストッパ部とを備え、前記各幅規制用ストッパ部は、一体に形成される幅規制用当接部に近い側より遠い側がカード挿入口の奥側に傾斜されているものである。
【００１６】
そして、この構成では、正規の幅および厚みのカードが挿入されたときに、幅規制部および厚み規制部はそのカードが所定の挿入位置へ挿入されるのを許容する。また、正規の幅より狭いカードが挿入されたときに幅規制部はそのカードが挿入されるのを規制し、正規の厚みより薄いカードが挿入されたときに厚み規制部はそのカードが所定の挿入位置へ挿入されるのを規制する。したがって、挿入方向の端部が正規の幅および厚みに設けられたカードがカード挿入口を通じて所定の挿入位置まで挿入されるカード挿入部を有する本体部に、正規の幅より狭いカードがカード挿入口へ挿入されるのを規制する幅規制部と、正規の厚みより薄い厚みのカードがカード挿入部の正規の挿入位置へ挿入されるのを規制する厚み規制部とを一体に形成することにより、簡単な構成で、カードの挿入方向の端部の幅および厚みの両方についてカードの誤挿入を防止する。さらに、カード挿入口へ挿入される正規の幅のカードでカード挿入口の両側の幅規制用当接部が押動されたときに、各幅規制用当接部がカード挿入口の外側へ退避するとともに、各幅規制用当接部と一体に各幅規制用ストッパ部がカード挿入口の外側に退避して、正規の幅のカードの挿入を許容する。また、カード挿入口へ挿入されるカードの幅が正規の幅より狭く、両側の幅規制用当接部のうちいずれか一方が押動されても他方がカード挿入口内に進入する状態にあれば、その幅規制用当接部と一体に幅規制用ストッパ部がカード挿入口内に進入する状態にあって、幅の狭いカードの誤挿入を規制する。しかも、カード挿入口に挿入されるカードが幅規制用ストッパ部より必ず先に幅規制用当接部に当接し、正規のカードの挿入動作を確実にする。
【００１７】
請求項２記載のカード誤挿入防止装置は、請求項１記載のカード誤挿入防止装置において、各幅規制用当接部および各幅規制用ストッパ部は、カード挿入口の厚み方向の両側からカード挿入口内に進退可能とし、各幅規制用ストッパ部は、カード挿入口で両側の幅規制用当接部間の幅方向の略全域にそれぞれ配置されているとともにカード挿入口の挿入方向の前後に並んで配置されているものである。
【００１８】
そして、この構成では、幅規制用ストッパ部のいずれか一方が開放されても、他方の幅規制用ストッパ部がカード挿入口の幅方向の略全域を閉鎖し、幅の狭いカードの誤挿入を規制する。
【００１９】
請求項３記載のカード誤挿入防止装置は、請求項１記載のカード誤挿入防止装置において、各幅規制用ストッパ部は、カード挿入口の幅方向の両側域に分割してそれぞれ配置されているものである。
【００２０】
そして、この構成では、各幅規制用ストッパ部をカード挿入口の幅方向の両側域に分割してそれぞれ配置するだけとし、構成を簡単にする。
【００２１】
請求項４記載のカード誤挿入防止装置は、請求項１記載のカード誤挿入防止装置において、カード挿入口の厚み方向の一側から他側へ傾斜する傾斜部がカード挿入口の幅方向の両側部でそれぞれ独立して本体部に一体に形成され、これら各傾斜部の先端側に幅規制用当接部および幅規制用ストッパ部が一体に形成されているとともに、カード挿入口の厚み方向の一側に隔離部材が配設され、この隔離部材とカード挿入口に挿入される正規のカードとの間に、カード挿入口の厚み方向の一側へ退避される幅規制用当接部および傾斜部を弾性変形させて厚み方向に圧縮した状態に収容するものである。
【００２２】
そして、この構成では、カード挿入口に正規のカードを挿入した際、このカードと隔離部材との間に、カード挿入口の厚み方向の一側へ退避する幅規制用当接部および傾斜部を弾性変形させて厚み方向に圧縮した状態すなわち厚み方向の寸法が小さくなる状態に収容し、カード挿入口の厚み方向の一側への幅規制部の突出量が少なく、幅規制部の動作に必要とするスペースが低減される。
【００２３】
請求項５記載のカード誤挿入防止装置は、請求項１ないし４いずれか記載のカード誤挿入防止装置において、カードは幅方向の両側部に切欠部を有し、厚み規制部は、カードの正規の厚みより薄くかつカード挿入部の両側部でカードの切欠部に対応する位置にそれぞれ独立して本体部に一体に形成され、カード挿入部内に進入する方向に弾性を有するとともに、カード挿入部に挿入されるカードで押動されたときにカード挿入部の外側へ退避される両側の厚み規制用当接部と、これら各厚み規制用当接部にそれぞれ一体に形成され、厚み規制用当接部と一体にカード挿入部内に進入してカードの挿入を規制する挿入規制位置とカード挿入部の外側に退避してカードの挿入を許容する挿入許容位置との間で移動される両側の厚み規制用ストッパ部と、これら各厚み規制用ストッパ部にそれぞれ一体に形成され、カードの挿入により厚み規制用当接部を介して厚み規制用ストッパ部が挿入許容位置へ退避された状態において、切欠部を通じて正規の厚みのカードがカード挿入部の所定の挿入位置へ挿入されるのを許容するとともに、正規の厚みより薄いカードがカード挿入部の所定の挿入位置へ挿入されるのを規制する突部とを備えているものである。
【００２４】
そして、この構成では、カード挿入部へ挿入される正規の厚みのカードでカード挿入部の両側の厚み規制用当接部が押動されたときに、各厚み規制用当接部およびこれら各厚み規制用当接部と一体に各厚み規制用ストッパ部がカード挿入部の外側へ退避してカードの挿入を許容するとともに、各厚み規制用ストッパ部と一体の突部がカードの両側の切欠部を通じて正規の厚みのカードがカード挿入部の所定の挿入位置へ挿入されるのを許容する。また、カード挿入部へ挿入されるカードの厚みが正規の厚みより薄く、カード挿入部の両側の厚み規制用当接部のうちのいずれか一方でも押動されなければ、押動されない厚み規制用当接部と一体の厚み規制用ストッパ部でカードが所定の挿入位置へ挿入されるのを確実に規制する。さらに、厚みが正規の厚みより薄いカードでかつ両側に切欠部がないカードにより、カード挿入部の両側の厚み規制用当接部の両方が押動された場合でも、各厚み規制用ストッパ部と一体の突部でそのカードが所定の挿入位置へ挿入されるのを確実に規制する。
【００２５】
請求項６記載のカード誤挿入防止装置は、請求項５記載のカード誤挿入防止装置において、カードの両側の切欠部は、厚み方向の幅がそれぞれ異なって形成され、両側の突部は、前記カードの対応する側の切欠部内へ進入可能に厚み方向の幅が異なって形成されているものである。
【００２６】
そして、この構成では、カードの両側の切欠部の厚み方向の幅と両側の突部の厚み方向の幅とを異ならせることにより、カードの表裏面の逆挿入を防止する。
【００２７】
【発明の実施の形態】
以下、本発明の一実施の形態を図面を参照して説明する。
【００２８】
図１ないし図１５にカード誤挿入防止装置の第１の実施の形態を示す。
【００２９】
図１５には正規のカードを示し、このカード11は、例えばＩＣカードまたはメモリカードであり、内部にＩＣやメモリを内蔵した直方体形状のカード本体12を有し、最も広い面の一方を表面の面12aとした場合、この表面の面12a、正面の面12b、背面の面12c、左側面の面12d、右側面の面12e、裏面の面12fの６面で構成されている。カード11の面12cが位置する長辺側の端部を正規の挿入方向Ｆとし、この端部の幅および厚みがそれぞれ正規の幅Ｌおよび厚みＴに形成されている。
【００３０】
カード11の挿入方向Ｆの面12cには複数のコネクタ孔13を有するコネクタ部14が形成されている。
【００３１】
カード11の挿入方向Ｆの端部の左側部には面12c，12dに開口する切欠部15aが形成され、右側部には面12c，12eに開口する切欠部15bが形成されている。これら切欠部15a，15bはカード11の厚み方向の中央部に形成され、左側部の切欠部15aの幅T1が右側部の切欠部15bの幅T2より広く、Ｔ＞T1＞T2の関係に形成されている。
【００３２】
次に、図１ないし図５にはカード誤挿入防止装置を示し、このカード誤挿入防止装置21は、カード11を挿入接続して使用する機器のカード接続装置に用いられるもので、このカード接続装置のカード11が挿入されるコネクタハウジング内に配設される。コネクタハウジングには、前端にカード挿入口が形成され、後端である奥側にカード11のコネクタ部14が接続される複数のコネクタピンが配設され、これらカード挿入口とコネクタピンとの間にカード誤挿入防止装置21が配設される。コネクタハウジングのカード挿入の幅および厚みは正規のカード11の幅Ｌおよび厚みＴより少し大きい寸法であって、カード11の挿脱を許容するとともに、正規のカード11の幅Ｌおよび厚みＴより大きい幅および厚みのカードの挿入を規制する。
【００３３】
カード誤挿入防止装置21は、ばね性を有する金属板にて一体に形成されたものであり、本体部22を有し、この本体部22の内側に正規のカード11が上述したコネクタハウジングのカード挿入口23を通じて挿入されるカード挿入部24が形成されている。カード挿入部24では、カード11がコネクタピンに接続される位置をカード11の所定の挿入位置としている。なお、以降、カード11の幅方向および厚み方向に対応する方向を、カード誤挿入防止装置21の幅方向および厚み方向と呼ぶ。
【００３４】
本体部22は、カード11の厚み方向の両側に対応して配置される板部25a，25b、およびカード11の幅方向の両側に対応して配置される板部26a，26bを有し、これら板部25a，25b，26a，26bが幅方向に横長の長方形状に組み合わされてカード11が挿入されるカード挿入部24が形成されている。カード挿入部24は、カード挿入部24の幅および厚みが正規のカード11の幅Ｌおよび厚みＴより少し大きい寸法であって、カード11の挿脱を許容するとともに挿入されたカード11を保持できる寸法に形成されている。
【００３５】
また、本体部22のカード挿入口23側には、正規の幅のカード11がカード挿入口23へ挿入されるのを許容するとともに、正規の幅より狭いカードがカード挿入口23へ挿入されるのを規制する幅規制部29が一体に形成されている。
【００３６】
この幅規制部29には、本体部22の厚み方向の両側の各板部25a，25bからカード挿入口23側へ延設される連結板部30およびこの連結板部30の先端からカード挿入口23の幅方向に沿って延設される支持板部31を有する略Ｌ字形の支持部32a，32bが形成されている。これら各支持部32a，32bの支持板部31のカード挿入口23に対向する先端縁には、幅検出部としての幅規制用当接部33a，33bおよび幅規制用ストッパ部34a，34bがカード挿入口23内に厚み方向から相対して進入するように折曲形成されている。
【００３７】
各幅規制用当接部33a，33bは、カード挿入口23の幅方向の両側部にそれぞれ配置されており、各幅規制用ストッパ部34a，34bの先端位置から断面略Ｖ字形に折り返されてカード挿入口23へ向けて斜めに突出される当接片部35a，35bを有し、これら当接片部35a，35bのカード挿入口23に対向する面にカード11が当接する当接面36a，36bが形成されている。これら両側の幅規制用当接部33a，33bの両外側間の幅をL1、両内側間の幅をL2とした場合、L1＞L2、Ｌ＞L2の関係に設定されている。
【００３８】
各幅規制用ストッパ部34a，34bは、各幅規制用当接部33a，33bにそれぞれ隣接され、両側の幅規制用当接部33a，33b間でカード挿入口23の幅方向の略全域にそれぞれ配置されているとともに、カード挿入口23の挿入方向Ｆの前後に並んで配置されている。各幅規制用ストッパ部34a，34bは、一体に形成される幅規制用当接部33a，33bに近い側より遠い側が挿入方向Ｆの奥側にそれぞれ奥行きd1の寸法分だけ傾斜されている。
【００３９】
そして、各幅規制用当接部33a，33bおよび各幅規制用ストッパ部34a，34bは、各支持部32a，32bを介して、カード挿入口23の厚み方向の両側からカード挿入口23内に進退される。両側の幅規制用当接部33a，33bは、各支持部32a，32bを介してカード挿入口23内に進入する方向に弾性を有し、カード挿入口23へ挿入されるカード11で押動されたときにカード挿入口23の外側へ退避される。また、両側の幅規制用ストッパ部34a，34bは、各幅規制用当接部33a，33bと一体にカード挿入口23内に進入して正規の幅より狭いカードの挿入を規制する挿入規制位置と、各幅規制用当接部33a，33bと一体にカード挿入口23の外側に退避して正規のカード11の挿入を許容する挿入許容位置との間で移動される。
【００４０】
また、本体部22のカード挿入口23と反対側であってカード挿入部24の両側には、正規の厚みのカード11がカード挿入部24の所定の挿入位置へ挿入されるのを許容するとともに、正規の厚みより薄いカードがカード挿入部24の所定の挿入位置へ挿入されるのを規制する厚み規制部39が一体に形成されている。
【００４１】
この厚み規制部39には、本体部22の両側の板部26a，26bからカード挿入口23と反対側へ向けて支持部40a，40bが延設され、これら各支持部40a，40bに厚み規制用当接部41a，41bがそれぞれ一体に形成されている。各厚み規制用当接部41a，41bは、支持部40a，40bからこの支持部40a，40bの相対向する内方すなわちカード挿入部24内へ向けて断面略Ｖ字形に切り起こされた切起し片部42a，42bを有し、これら各切起し片部42a，42bのカード挿入口23に対向する傾斜した面にカード11が当接する当接面43a，43bが形成されている。切起し片部42a，42bは、厚み方向の厚みがカード11の正規の厚みより薄く、カード11の切欠部15a，15bに対応した位置すなわち支持部40a，40bの厚み方向の中央位置に配置されている。そして、切起し片部42a，42bは、支持部40a，40bを介して、カード挿入部24内に進入する方向に弾性を有し、カード挿入部24に挿入されるカード11で押動されたときに、支持部40a，40bと一体にカード挿入部24の外側へ退避される。
【００４２】
各支持部40a，40bのカード挿入口23と反対側となる先端には、厚み規制用ストッパ部44a，44bが相対する内方すなわちカード挿入部24内に向けて略直角に折曲形成されている。これら各厚み規制用ストッパ部44a，44bは、支持部40a，40bおよび厚み規制用当接部41a，41bと一体に移動し、カード挿入部24内に進入してカードの挿入を規制する挿入規制位置と、正規のカード11の挿入時に支持部40a，40bおよび厚み規制用当接部41a，41bを介してカード挿入部24の外側に退避して正規のカード11の挿入を許容する挿入許容位置との間で移動される。
【００４３】
そして、本体部22の幅方向の内側間（両側の支持部40a，40bの内側間）の幅をL3、両側の厚み規制用ストッパ部44a，44bの先端間の幅をL4とした場合、L3＞Ｌ、L4＜L2の関係に設定されている。つまり、本体部22の幅方向の内側間の幅L3は正規のカード11の幅Ｌ＋クリアランスC1の関係に設定されている。また、両側の厚み規制用ストッパ部44a，44bの退避時の先端間の幅L4´は正規のカード11の幅Ｌ＋クリアランスC2の関係に設定されている。
【００４４】
したがって、幅規制部29と厚み規制部39とにおいて、L1＞L2＞L4、L3＞Ｌ＞L2の関係に設定されている。なお、両側の幅規制用当接部33a，33bの両外側間の幅L1に関し、L1とＬ、L1とL3の大小関係は任意である。
【００４５】
各厚み規制用ストッパ部44a，44bの互いに対向する先端には、互いに相対する内方すなわちカード挿入部24内に向けて突部45a，45bが突設されている。これら突部45a，45bは、カード11の対応する側の切欠部15a，15b内へ進入可能とする厚み方向の幅に形成されている。すなわち、左側の突部45aの厚みt1が右側の突部45bの厚みt2より広く、Ｔ＞T1＞t1＞T2＞t2の関係に形成されている。そして、各突部45a，45bは、カード11の挿入により厚み規制用当接部41a，41bを介して厚み規制用ストッパ部44a，44bが挿入許容位置へ退避された状態において、切欠部15a，15bを通じて正規の厚みのカード11がカード挿入部24の所定の挿入位置へ挿入されるのを許容するとともに、正規の厚みより薄いカードがカード挿入部24の所定の挿入位置へ挿入されるのを規制する。
【００４６】
また、図８に示すように、カード誤挿入防止装置21の厚み方向の両側には、カード挿入時にカード挿入口23の外側へ移動された幅規制用ストッパ部34a，34bが他の部材と干渉するのを防止する隔離部材48，49が配設されている。
【００４７】
次に、カード誤挿入防止装置21の作用を説明する。
【００４８】
図６ないし図８に正規のカード11を挿入した状態を示す。
【００４９】
正規のカード11がカード挿入口23に挿入されることにより、まず、カード11の一側部が一側の幅規制用当接部33aに当接し、この幅規制用当接部33aが支持部32aの弾性変形によってカード挿入口23の外側へ押動されるとともに、この幅規制用当接部33aと一体に幅規制用ストッパ部34aがカード挿入口23の外側へ押動され、カード11が挿入される。続いて、カード11の他側部が他側の幅規制用当接部33bに当接し、この幅規制用当接部33bが支持部32bの弾性変形によってカード挿入口23の外側へ押動されるとともに、この幅規制用当接部33bと一体に幅規制用ストッパ部34bがカード挿入口23の外側へ押動される。これにより、両幅規制用ストッパ部34a，34bが押し開かれ、カード11がカード挿入口23からカード挿入部24に挿入される。
【００５０】
このとき、幅規制用ストッパ部34a，34bが押し開かれる前にカード11が幅規制用ストッパ部34a，34bに当接した場合には幅規制用ストッパ部34a，34bが開かないが、幅規制用ストッパ部34a，34bは幅規制用当接部33a，33bに近い側より遠い側が挿入方向Ｆの奥側に傾斜されているため、カード11は幅規制用当接部33a，33bに先に当接し、幅規制用ストッパ部34a，34bには当接しない。
【００５１】
そして、カード挿入部24に挿入されるカード11の両側の面26a，26bが両側の厚み規制用当接部41a，41bに当接し、これら厚み規制用当接部41a，41bが支持部40a，40bの弾性変形によってカード挿入部24の外側へ押動されるとともに、この支持部40a，40bと一体に厚み規制用ストッパ部44a，44bがカード挿入部24の外側へ押動され、カード11が挿入が許容される。
【００５２】
厚み規制用ストッパ部44a，44bがカード挿入部24の外側へ押動された状態でも各突部45a，45bはカード挿入部24内にあるが、各突部45a，45bの厚みt1，t2とカード11の各切欠部15a，15bの厚みT1，T2とがT1＞t1、T2＞t2の関係にあるため、突部45a，45bに対してカード11の両側の切欠部15a，15bに進入するため、カード11はカード挿入部24の所定の挿入位置まで挿入され、コネクタ部14がコネクタピンに差し込み接続される。
【００５３】
カードを挿入した状態では、図８に示すように、カード11が挿入されるカード挿入口23の厚み方向の両側に幅規制用当接部33a，33bおよび幅規制用ストッパ部34a，34bが押し開かれる。そのため、カード挿入部24の厚み方向の両側に幅規制用ストッパ部34a，34bが移動できるだけの幅T11をあけて各隔離部材48，49が配設される。
【００５４】
また、挿入されているカード11を引き抜けば、各支持部40a，40bの弾性によって各厚み規制用ストッパ部44a，44bがカード挿入部24内に復帰されるとともに、各支持部32a，32bの弾性によって各幅規制用ストッパ部34a，34bがカード挿入口23を閉鎖する状態に復帰される。
【００５５】
また、カード11の表裏面を逆にして挿入した場合には、幅が正規であるために各幅規制用ストッパ部34a，34bが押し開かれてカード挿入口23を通じて挿入されるとともに各厚み規制用ストッパ部44a，44bがカード挿入部24の外側に押し開かれるが、突部45aの厚みt1とカード11の切欠部15bの厚みT2とがt1＞T2の関係にあるため、突部45aに対してカード11の切欠部15bが進入せず、突部45aにカード11が引っ掛かり、カード11がカード挿入部24の所定の挿入位置に挿入されるのを規制できる。
【００５６】
また、図９および図１０に、正規のカード11より幅の狭いカード11aをカード挿入口23の一側に寄せて挿入した場合を示す。この場合、一方の幅規制用当接部33aを介して幅規制用ストッパ部34aが押し開かれるが、他方の幅規制用ストッパ部34bはカード挿入口23を閉鎖した状態に保たれているため、カード11aは幅規制用ストッパ部34bに当接して挿入が規制される。もちろん、カード11aを両側の幅規制用当接部33a，33b間に挿入した場合には、いずれの幅規制用ストッパ部34a，34bとも開かれず、カード11aの挿入が規制される。
【００５７】
また、図１１ないし図１４に、正規のカード11の幅と略同一でかつ正規のカード11の厚みより薄いカード11bをカード挿入口23に挿入した場合を示す。この場合、幅が正規の幅に近いために各幅規制用ストッパ部34a，34bが押し開かれてカード挿入口23を通じて挿入される。
【００５８】
図１１および図１２に示すように、厚みの薄いカード11bが厚み規制用当接部41a，41bに当接せずに厚み規制用当接部41a，41bの厚み方向のいずれかの側を通じてカード挿入部24に挿入された場合には、各厚み規制用ストッパ部44a，44bがカード挿入部24内に進入した状態に保たれるため、カード11bが各厚み規制用ストッパ部44a，44bに当接して挿入が規制される。
【００５９】
図１３よび図１４に示すように、厚みの薄いカード11bが厚み規制用当接部41a，41bに丁度当接した場合には、各厚み規制用ストッパ部44a，44bがカード挿入部24の外側に押し開かれるが、突部45a，45bがカード挿入部24内に進入した状態に保たれるため、カード11bが各突部45a，45bに当接して挿入が規制される。
【００６０】
このように、カード誤挿入防止装置21によれば、挿入方向Ｆの端部が正規の幅および厚みに設けられたカード11がカード挿入口23を通じて所定の挿入位置まで挿入されるカード挿入部24を有する本体部22に、正規の幅より狭いカードがカード挿入口23へ挿入されるのを規制する幅規制部29と、正規の厚みより薄いカードがカード挿入部24の正規の挿入位置へ挿入されるのを規制する厚み規制部39とを一体に形成したため、簡単な構成で、カードの挿入方向Ｆの端部の幅および厚みの両方についてカードの誤挿入を確実に防止ができる。そのため、カード11やコネクタピンなどの破損を防止できる。
【００６１】
また、幅規制部29では、カード挿入口23へ挿入される正規の幅のカード11でカード挿入口23の両側の幅規制用当接部33a，33bが押動されたときに、各幅規制用当接部33a，33bがカード挿入口23の外側へ退避するとともに、各幅規制用当接部33a，33bと一体に各幅規制用ストッパ部34a，34bがカード挿入口23の外側に退避して、正規の幅のカード11の挿入を許容でき、また、カード挿入口23へ挿入されるカードの幅が正規の幅より狭く、両側の幅規制用当接部33a，33bのうちいずれか一方が押動されても他方がカード挿入口23内に進入する状態にあれば、その幅規制用当接部33a，33bと一体に幅規制用ストッパ部34a，34bがカード挿入口23内に進入する状態にあって、幅の狭いカードの誤挿入を確実に規制できる。
【００６２】
しかも、各幅規制用当接部33a，33bおよび各幅規制用ストッパ部34a，34bをカード挿入口23の厚み方向の両側からカード挿入口23内に進退可能とし、さらに、各幅規制用ストッパ部34a，34bをカード挿入口23で両側の幅規制用当接部33a，33b間の幅方向の略全域にそれぞれ配置するとともにカード挿入口23の挿入方向Ｆの前後に並んで配置するため、幅規制用ストッパ部34a，34bのいずれか一方が開放されても、他方の幅規制用ストッパ部が34a，34bカード挿入口23の幅方向の略全域を閉鎖でき、幅の狭いカードの誤挿入を確実に規制できる。
【００６３】
さらに、各幅規制用ストッパ部34a，34bが一体に形成される幅規制用当接部33a，33bに近い側より遠い側がカード挿入口23の奥側に傾斜するため、カード挿入口23に挿入されるカード11を幅規制用ストッパ部34a，34bより先に幅規制用当接部33a，33bに当接させることができ、正規のカード11の挿入動作を確実にできる。
【００６４】
また、厚み規制部39では、カード挿入部24へ挿入される正規の厚みのカード11でカード挿入部24の両側の厚み規制用当接部41a，41bが押動されたときに、各厚み規制用当接部41a，41bおよびこれら各厚み規制用当接部41a，41bと一体に各厚み規制用ストッパ部44a，44bがカード挿入部24の外側へ退避してカード11の挿入を許容できるとともに、各厚み規制用ストッパ部44a，44bと一体の突部45a，45bがカード11の両側の切欠部15a，15bを通じて正規の厚みのカード11がカード挿入部24の所定の挿入位置へ挿入されるのを許容できる。また、カード挿入部24ヘ挿入されるカードの厚みが正規の厚みより薄く、カード挿入部24の両側の厚み規制用当接部41a，41bのうちのいずれか一方でも押動されなければ、押動されない厚み規制用当接部41a，41bと一体の厚み規制用ストッパ部44a，44bでカードが所定の挿入位置へ挿入されるのを確実に規制できる。さらに、厚みが正規の厚みより薄いカードでかつ両側に切欠部がないカードにより、カード挿入部24の両側の厚み規制用当接部41a，41bの両方が押動された場合でも、各厚み規制用ストッパ部44a，44bと一体の突部45a，45bでそのカードが所定の挿入位置へ挿入されるのを確実に規制できる。
【００６５】
しかも、カード11の両側の切欠部15a，15bの厚み方向の幅と両側の突部45a，45bの厚み方向の幅とを異ならせるため、カード11の表裏面の逆挿入を確実に防止できる。
【００６６】
次に、図１６ないし図２４にカード誤挿入防止装置の第２の実施の形態を示す。
【００６７】
なお、第１の実施の形態と同様の構成については、同一符号を用いてその説明を省略する。
【００６８】
図１６および図１７に示すように、カード誤挿入防止装置21の本体部22は、カード11の厚み方向の一側に対応して配置される板部25a、およびカード11の幅方向の両側に対応して配置される板部26a，26bを有する断面略コ字形に形成されている。
【００６９】
幅規制部29には、本体部22の板部25aの両側の端部からカード挿入口23側へ延設される連結板部52およびこの連結板部52の先端から相対してカード挿入口23の幅方向の中央に向けて延設される支持板部53を有する略Ｌ字形の支持部54a，54bが形成されている。これら各支持部54a，54bの支持板部53のカード挿入口23に対向する先端縁には、幅検出部としての幅規制用当接部55a，55bおよび幅規制用ストッパ部56a，56bがカード挿入口23内に厚み方向の一側から進入するように折曲形成されている。したがって、幅規制用当接部55a，55bおよび幅規制用ストッパ部56a，56bは、カード挿入口23の幅方向の両側域に２分割してそれぞれ配置されている。
【００７０】
各幅規制用当接部55a，55bは、カード挿入口23の幅方向の両側部にそれぞれ配置されており、各幅規制用ストッパ部56a，56bの先端位置から断面略Ｖ字形に折り返されてカード挿入口23へ向けて斜めに突出される当接片部57a，57bを有し、これら当接片部57a，57bのカード挿入口23に対向する面にカード11が当接する当接面58a，58bが形成されている。これら両側の幅規制用当接部55a，55bの両外側間の幅をL1、両内側間の幅をL2とした場合、L1＞L2、Ｌ＞L2の関係に設定されている。
【００７１】
各幅規制用ストッパ部56a，56bは、カード挿入口23の幅方向の両側域にそれぞれ配置され、一体に形成される幅規制用当接部55a，55bに近い側より遠い側が挿入方向Ｆの奥側にそれぞれ奥行きd2の寸法分だけ傾斜されている。
【００７２】
そして、各幅規制用当接部55a，55bおよび各幅規制用ストッパ部56a，56bは、各支持部54a，54bを介して、カード挿入口23の厚み方向の一側からカード挿入口23内に進退される。両側の幅規制用当接部55a，55bは、各支持部54a，54bを介してカード挿入口23内に進入する方向に弾性を有し、カード挿入口23へ挿入されるカード11で押動されたときにカード挿入口23の外側へ退避される。また、両側の幅規制用ストッパ部56a，56bは、各幅規制用当接部55a，55bと一体にカード挿入口23内に進入して正規の幅より狭いカードの挿入を規制する挿入規制位置と、各幅規制用当接部55a，55bと一体にカード挿入口23の外側に退避して正規のカード11の挿入を許容する挿入許容位置との間で移動される。
【００７３】
なお、厚み規制部39は第１の実施の形態と同様に形成されている。
【００７４】
また、図２０に示すように、カード誤挿入防止装置21の厚み方向の両側には、隔離部材48およびガイド部材59が配設されている。隔離部材48はカード挿入時にカード挿入口23の外側へ移動された幅規制用ストッパ部56a，56bが他の部材と干渉するのを防止し、ガイド部材59はカード挿入口23およびカード挿入部24の厚み方向の他側に配置されて挿脱されるカード11を位置決めガイドする。
【００７５】
次に、第２の実施の形態のカード誤挿入防止装置21の作用を説明する。
【００７６】
図１８ないし図２０に正規のカード11を挿入した状態を示す。
【００７７】
正規のカード11がカード挿入口23に挿入されることにより、カード11の両側部が両側の幅規制用当接部55a，55bに当接し、これら各幅規制用当接部55a，55bが各支持部54a，54bの弾性変形によってカード挿入口23の外側へ押動されるとともに、これら各幅規制用当接部55a，55bと一体に各幅規制用ストッパ部56a，56bがカード挿入口23の外側へ押動される。これにより、両幅規制用ストッパ部56a，56bが押し開かれ、カード11がカード挿入口23からカード挿入部24に挿入される。
【００７８】
このとき、幅規制用ストッパ部56a，56bが押し開かれる前にカード11が幅規制用ストッパ部56a，56bに当接した場合には幅規制用ストッパ部56a，56bが開かないが、幅規制用ストッパ部56a，56bは幅規制用当接部55a，55bに近い側より遠い側が挿入方向Ｆの奥側に傾斜されているため、カード11は幅規制用当接部55a，55bに先に当接し、幅規制用ストッパ部56a，56bには当接しない。
【００７９】
そして、カード挿入部24に挿入されるカード11の両側の面12d，12eが両側の厚み規制用当接部41a，41bに当接し、これら厚み規制用当接部41a，41bが支持部40a，40bの弾性変形によってカード挿入部24の外側へ押動されるとともに、この支持部40a，40bと一体に厚み規制用ストッパ部44a，44bがカード挿入部24の外側へ押動され、カード11が挿入が許容される。
【００８０】
厚み規制用ストッパ部44a，44bがカード挿入部24の外側へ押動された状態でも各突部45a，45bはカード挿入部24内にあるが、各突部45a，45bの厚みt1，t2とカード11の各切欠部15a，15bの厚みT1，T2とがT1＞t1、T2＞t2の関係にあるため、突部45a，45bに対してカード11の両側の切欠部15a，15bに進入するため、カード11はカード挿入部24の所定の挿入位置まで挿入され、コネクタ部14がコネクタピンに差し込み接続される。
【００８１】
カード11を挿入した状態では、図２０に示すように、カード11が挿入されるカード挿入口23の厚み方向の一側に幅規制用当接部55a，55bおよび幅規制用ストッパ部56a，56bが押し開かれる。そのため、カード挿入部24の厚み方向の一側に幅規制用ストッパ部56a，56bが移動できるだけの幅T11をあけて隔離部材48が配設される。
【００８２】
また、挿入されているカード11を引き抜けば、各支持部40a，40bの弾性によって各厚み規制用ストッパ部44a，44bがカード挿入部24内に復帰されるとともに、各支持部54a，54bの弾性によって各幅規制用ストッパ部56a，56bがカード挿入口23を閉鎖する状態に復帰される。
【００８３】
また、カード11の表裏面を逆にして挿入した場合には、幅が正規であるために各幅規制用ストッパ部56a，56bが押し開かれてカード挿入口23を通じて挿入されるとともに各厚み規制用ストッパ部44a，44bがカード挿入部24の外側に押し開かれるが、突部45aの厚みt1とカード11の切欠部15bの厚みT2とがt1＞T2の関係にあるため、突部45aに対してカード11の切欠部15bが進入せず、突部45aにカード11が引っ掛かり、カード11がカード挿入部24の所定の挿入位置に挿入されるのを規制できる。
【００８４】
また、図２１および図２２に、正規のカード11の幅の１／２以上の幅でかつ両側の幅規制用当接部55a，55bの両内側間の幅L2より狭い幅のカード11cをカード挿入口23の一側に寄せて挿入した場合を示す。この場合、一方の幅規制用当接部55bを介して幅規制用ストッパ部56bが押し開かれるが、他方の幅規制用ストッパ部56aはカード挿入口23を閉鎖した状態に保たれているため、カード11cは幅規制用ストッパ部56bに当接して挿入が規制される。もちろん、カード11cを両側の幅規制用当接部55a，55b間に挿入した場合には、いずれの幅規制用ストッパ部56a，56bとも開かれず、カード11cの挿入が規制される。
【００８５】
また、図２３および図２４に、正規のカード11の幅の１／２以下の幅のカード11dをカード挿入口23の一側に寄せて挿入した場合を示す。この場合、一方の幅規制用当接部55bを介して幅規制用ストッパ部56bが押し開かれるが、厚み規制用ストッパ部44bがカード挿入部24内に進入した状態に保たれるため、カード11dが厚み規制用ストッパ部44bに当接して挿入が規制される。この場合、厚み規制用ストッパ部44bが、幅規制部29の一部として機能する。また、カード11dを両側の幅規制用当接部55a，55b間に挿入した場合には、いずれの幅規制用ストッパ部56a，56bとも開かれず、カード11dの挿入が規制される。
【００８６】
また、第１の実施の形態の図１１ないし図１４に示したように、正規のカード11の幅と略同一でかつ正規のカード11の厚みより薄いカード11bをカード挿入口23に挿入した場合は、第１の実施の形態と同様に、そのカード11bの挿入を規制できる。
【００８７】
このように、第２の実施の形態のカード誤挿入防止装置21においても、第１の実施の形態と同様の作用効果が得られる。それに加えて、各幅規制用ストッパ部56a，56bをカード挿入口23の幅方向の両側域に分割してそれぞれ配置するため、簡単な構成で、幅の狭いカードの誤挿入を確実に規制できる。
【００８８】
次に、図２５ないし図２９にカード誤挿入防止装置の第３の実施の形態を示す。
【００８９】
なお、第１の実施の形態および第２の実施の形態と同様の構成については、同一符号を用いてその説明を省略する。
【００９０】
図２５および図２６に示すように、カード誤挿入防止装置21の本体部22は、カード11の厚み方向の一側に対応して配置される板部25a、およびカード11の幅方向の両側に対応して配置される板部26a，26bを有する断面略コ字形に形成されている。
【００９１】
幅規制部29には、本体部22の板部25aの幅方向の両側に、本体部22の厚み方向の一側の板部25aから他側へ傾斜する傾斜部62a，62bがそれぞれ独立して一体に形成されている。これら各傾斜部62a，62bの先端にはカード挿入口23の厚み方向の他側に配置される支持部63a，63bが形成され、これら各支持部63a，63bのカード挿入口23に対向する先端縁に、幅検出部としての幅規制用当接部64a，64bおよび幅規制用ストッパ部65a，65bがカード挿入口23内に厚み方向の他側から進入するように折曲形成されている。したがって、幅規制用当接部64a，64bおよび幅規制用ストッパ部65a，65bは、カード挿入口23の幅方向の両側域に２分割してそれぞれ配置されている。
【００９２】
各幅規制用当接部64a，64bは、カード挿入口23の幅方向の両側部にそれぞれ配置されており、各支持部63a，63bの先端位置からカード挿入口23へ向けて斜めに突出される当接片部66a，66bを有し、これら当接片部66a，66bのカード挿入口23に対向する面にカード11が当接する当接面67a，67bが形成されている。これら両側の幅規制用当接部64a，64bの両外側間の幅をL1、両内側間の幅をL2とした場合、L1＞L2、Ｌ＞L2の関係に設定されている。
【００９３】
各幅規制用ストッパ部65a，65bは、カード挿入口23の幅方向の両側域にそれぞれ配置され、傾斜部62a，62bおよび支持部63a，63bを介して一体に形成される幅規制用当接部64a，64bに近い側より遠い側が挿入方向Ｆの奥側にそれぞれ奥行きd3の寸法分だけ円弧状に傾斜されている。
【００９４】
そして、各幅規制用当接部64a，64bおよび各幅規制用ストッパ部65a，65bは、傾斜部62a，62bおよび支持部63a，63bを介して、カード挿入口23の厚み方向の一側からカード挿入口23内に進退される。両側の幅規制用当接部64a，64bは、傾斜部62a，62bおよび支持部63a，63bを介してカード挿入口23内に進入する方向に弾性を有し、カード挿入口23へ挿入されるカード11で押動されたときにカード挿入口23の外側へ退避される。また、両側の幅規制用ストッパ部65a，65bは、各幅規制用当接部64a，64bと一体にカード挿入口23内に進入して正規の幅より狭いカードの挿入を規制する挿入規制位置と、各幅規制用当接部64a，64bと一体にカード挿入口23の外側に退避して正規のカード11の挿入を許容する挿入許容位置との間で移動される。
【００９５】
なお、厚み規制部39は第１の実施の形態と同様に形成されている。
【００９６】
また、図２９に示すように、カード誤挿入防止装置21の厚み方向の両側には、隔離部材48およびガイド部材59が配設されている。隔離部材48はカード挿入時にカード挿入口23の外側へ移動された幅規制用ストッパ部65a，65bが他の部材と干渉するのを防止し、ガイド部材59はカード挿入口23およびカード挿入部24の厚み方向の他側に配置されて挿脱されるカード11を位置決めガイドする。
【００９７】
次に、第３の実施の形態のカード誤挿入防止装置21の作用を説明する。
【００９８】
図２７ないし図２９に正規のカード11を挿入した状態を示す。
【００９９】
正規のカード11がカード挿入口23に挿入されることにより、カード11の両側部が両側の幅規制用当接部64a，64bに当接し、これら各幅規制用当接部64a，64bが傾斜部62a，62bおよび支持部63a，63bの弾性変形によってカード挿入口23の外側へ押動されるとともに、これら各幅規制用当接部64a，64bと一体に各幅規制用ストッパ部65a，65bがカード挿入口23の外側へ押動される。これにより、両幅規制用ストッパ部65a，65bが押し開かれ、カード11がカード挿入口23からカード挿入部24に挿入される。
【０１００】
このとき、幅規制用ストッパ部65a，65bが押し開かれる前にカード11が幅規制用ストッパ部65a，65bに当接した場合には幅規制用ストッパ部65a，65bが開かないが、幅規制用ストッパ部65a，65bは幅規制用当接部64a，64bに近い側より遠い側が挿入方向Ｆの奥側に傾斜されているため、カード11は幅規制用当接部64a，64bに先に当接し、幅規制用ストッパ部65a，65bには当接しない。
【０１０１】
そして、カード挿入部24に挿入されるカード11の両側の面12d，12eが両側の厚み規制用当接部41a，41bに当接し、これら厚み規制用当接部41a，41bが支持部40a，40bの弾性変形によってカード挿入部24の外側へ押動されるとともに、この支持部40a，40bと一体に厚み規制用ストッパ部44a，44bがカード挿入部24の外側へ押動され、カード11が挿入が許容される。
【０１０２】
厚み規制用ストッパ部44a，44bがカード挿入部24の外側へ押動された状態でも各突部45a，45bはカード挿入部24内にあるが、各突部45a，45bの厚みt1，t2とカード11の各切欠部15a，15bの厚みT1，T2とがT1＞t1、T2＞t2の関係にあるため、突部45a，45bに対してカード11の両側の切欠部15a，15bに進入するため、カード11はカード挿入部24の所定の挿入位置まで挿入され、コネクタ部14がコネクタピンに差し込み接続される。
【０１０３】
カード11を挿入した状態では、図２９に示すように、カード11が挿入されるカード挿入口23の厚み方向の一側に幅規制用当接部64a，64bおよび幅規制用ストッパ部65a，65bが押し開かれ、これら幅規制用当接部64a，64bおよび幅規制用ストッパ部65a，65bが隔離部材48に当接される。傾斜部62a，62b、支持部63a，63bおよび幅規制用当接部64a，64bはカード11と隔離部材48との間に挟まれて厚み方向の寸法が小さくなるように弾性変形される。そのため、カード11の挿入前には厚み方向の幅がT21であった幅規制部29が、カード11の挿入後には厚み方向の幅がT22に収縮され、T21＞T22の関係となる。
【０１０４】
また、挿入されているカード11を引き抜けば、各支持部40a，40bの弾性によって各厚み規制用ストッパ部44a，44bがカード挿入部24内に復帰されるとともに、各傾斜部62a，62bおよび各幅規制用当接部64a，64bの弾性によって各幅規制用ストッパ部65a，65bがカード挿入口23を閉鎖する状態に復帰される。
【０１０５】
また、カード11の表裏面を逆にして挿入した場合には、幅が正規であるために各幅規制用ストッパ部65a，65bが押し開かれてカード挿入口23を通じて挿入されるとともに各厚み規制用ストッパ部44a，44bがカード挿入部24の外側に押し開かれるが、突部45aの厚みt1とカード11の切欠部15bの厚みT2とがt1＞T2の関係にあるため、突部45aに対してカード11の切欠部15bが進入せず、突部45aにカード11が引っ掛かり、カード11がカード挿入部24の所定の挿入位置に挿入されるのを規制できる。
【０１０６】
また、例えば、第２の実施の形態の図２１および図２２に示したように、正規のカード11の幅の１／２以上の幅でかつ両側の幅規制用当接部64a，64bの両内側間の幅L2より狭い幅のカード11cをカード挿入口23の一側に寄せて挿入した場合、一方の幅規制用当接部64bを介して幅規制用ストッパ部65bが押し開かれるが、他方の幅規制用ストッパ部65aはカード挿入口23を閉鎖した状態に保たれているため、カード11cは幅規制用ストッパ部65bに当接して挿入が規制される。もちろん、カード11cを両側の幅規制用当接部64a，64b間に挿入した場合には、いずれの幅規制用ストッパ部65a，65bとも開かれず、カード11cの挿入が規制される。
【０１０７】
また、第２の実施の形態の図２３および図２４に示したように、正規のカード11の幅の１／２以下の幅のカード11dをカード挿入口23の一側に寄せて挿入した場合、一方の幅規制用当接部64bを介して幅規制用ストッパ部65bが押し開かれるが、厚み規制用ストッパ部44bがカード挿入部24内に進入した状態に保たれるため、カード11dが厚み規制用ストッパ部44bに当接して挿入が規制される。この場合、厚み規制用ストッパ部44bが、幅規制部29の一部として機能する。また、カード11dを両側の幅規制用当接部64a，64b間に挿入した場合には、いずれの幅規制用ストッパ部65a，65bとも開かれず、カード11dの挿入が規制される。
【０１０８】
また、第１の実施の形態の図１１ないし図１４に示したように、正規のカード11の幅と略同一でかつ正規のカード11の厚みより薄いカード11bをカード挿入口23に挿入した場合は、第１の実施の形態と同様に、そのカード11bの挿入を規制できる。
【０１０９】
このように、第３の実施の形態のカード誤挿入防止装置21においても、第１の実施の形態および第２の実施の形態と同様の作用効果が得られる。それに加えて、カード挿入口23の厚み方向の一側から他側へ傾斜する傾斜部62a，62bをカード挿入口23の幅方向の両側部でそれぞれ独立して本体部22に一体に形成し、これら各傾斜部62a，62bの先端側に各幅規制用当接部64a，64bおよび各幅規制用ストッパ部65a，65bを一体に形成するとともに、カード挿入口23の厚み方向の一側に隔離部材48を配設したため、カード挿入口23に正規のカード11を挿入した際、このカード11と隔離部材48との間に、カード挿入口23の厚み方向の一側へ退避する幅規制用当接部64a，64bおよび傾斜部62a，62bを弾性変形させて厚み方向に圧縮した状態すなわち厚み方向の寸法が小さくなる状態に収容でき、カード挿入口23の厚み方向の一側への幅規制部29の突出量が少なく、幅規制部29の動作に必要とするスペースを低減できる。
【０１１０】
なお、各実施の形態において、厚み規制用ストッパ部44a，44bは、支持部40a，40bから略直角に折曲されているが、カード挿入口23側へ傾斜させてもよく、この場合、厚み規制用ストッパ部44a，44bおよび突部45a，45bによって正規でないカードの挿入を確実に防止できる。
【０１１１】
また、カードの長辺を正規の挿入方向とする場合に限らず、カードの短辺方向を正規の挿入方向とする場合にも、同様に適用できる。
【０１１２】
【発明の効果】
請求項１記載のカード誤挿入防止装置によれば、挿入方向の端部が正規の幅および厚みに設けられたカードがカード挿入口を通じて所定の挿入位置まで挿入されるカード挿入部を有する本体部に、正規の幅より狭いカードがカード挿入口へ挿入されるのを規制する幅規制部と、正規の厚みより薄いカードがカード挿入部の正規の挿入位置へ挿入されるのを規制する厚み規制部とを一体に形成したため、簡単な構成で、カードの挿入方向の端部の幅および厚みの両方についてカードの誤挿入を確実に防止ができる。さらに、カード挿入口へ挿入される正規の幅のカードでカード挿入口の両側の幅規制用当接部が押動されたときに、各幅規制用当接部がカード挿入口の外側へ退避するとともに、各幅規制用当接部と一体に各幅規制用ストッパ部がカード挿入口の外側に退避して、正規の幅のカードの挿入を許容でき、また、カード挿入口へ挿入されるカードの幅が正規の幅より狭く、両側の幅規制用当接部のうちいずれか一方が押動されても他方がカード挿入口内に進入する状態にあれば、その幅規制用当接部と一体に幅規制用ストッパ部がカード挿入口内に進入する状態にあって、幅の狭いカードの誤挿入を確実に規制できる。しかも、各幅規制用ストッパ部が一体に形成される幅規制用当接部に近い側より遠い側がカード挿入口の奥側に傾斜するため、カード挿入口に挿入されるカードを幅規制用ストッパ部より先に幅規制用当接部に当接させることができ、正規のカードの挿入動作を確実にできる。
【０１１３】
請求項２記載のカード誤挿入防止装置によれば、請求項１記載のカード誤挿入防止装置の効果に加えて、各幅規制用当接部および各幅規制用ストッパ部をカード挿入口の厚み方向の両側からカード挿入口内に進退可能とし、さらに、各幅規制用ストッパ部をカード挿入口で両側の幅規制用当接部間の幅方向の略全域にそれぞれ配置するとともにカード挿入口の挿入方向の前後に並んで配置するため、幅規制用ストッパ部のいずれか一方が開放されても、他方の幅規制用ストッパ部がカード挿入口の幅方向の略全域を閉鎖でき、幅の狭いカードの誤挿入を確実に規制できる。
【０１１４】
請求項３記載のカード誤挿入防止装置によれば、請求項１記載のカード誤挿入防止装置の効果に加えて、各幅規制用ストッパ部をカード挿入口の幅方向の両側域に分割してそれぞれ配置するため、簡単な構成で、幅の狭いカードの誤挿入を確実に規制できる。
【０１１５】
請求項４記載のカード誤挿入防止装置によれば、請求項１記載のカード誤挿入防止装置の効果に加えて、カード挿入口の厚み方向の一側から他側へ傾斜する傾斜部をカード挿入口の幅方向の両側部でそれぞれ独立して本体部に一体に形成し、これら各傾斜部の先端側に各幅規制用当接部および各幅規制用ストッパ部を一体に形成するとともに、カード挿入口の厚み方向の一側に隔離部材を配設したため、カード挿入口に正規のカードを挿入した際、このカードと隔離部材との間に、カード挿入口の厚み方向の一側へ退避する幅規制用当接部および傾斜部を弾性変形させて厚み方向に圧縮した状態すなわち厚み方向の寸法が小さくなる状態に収容でき、カード挿入口の厚み方向の一側への幅規制部の突出量が少なく、幅規制部の動作に必要とするスペースを低減できる。
【０１１６】
請求項５記載のカード誤挿入防止装置によれば、請求項１ないし４いずれか記載のカード誤挿入防止装置の効果に加えて、厚み規制部では、カード挿入部へ挿入される正規の厚みのカードでカード挿入部の両側の厚み規制用当接部が押動されたときに、各厚み規制用当接部およびこれら各厚み規制用当接部と一体に各厚み規制用ストッパ部がカード挿入部の外側へ退避してカードの挿入を許容できるとともに、各厚み規制用ストッパ部と一体の突部がカードの両側の切欠部を通じて正規の厚みのカードがカード挿入部の所定の挿入位置へ挿入されるのを許容できる。また、カード挿入部ヘ挿入されるカードの厚みが正規の厚みより薄く、カード挿入部の両側の厚み規制用当接部のうちのいずれか一方でも押動されなければ、押動されない厚み規制用当接部と一体の厚み規制用ストッパ部でカードが所定の挿入位置へ挿入されるのを確実に規制できる。さらに、厚みが正規の厚みより薄いカードでかつ両側に切欠部がないカードにより、カード挿入部の両側の厚み規制用当接部の両方が押動された場合でも、各厚み規制用ストッパ部と一体の突部でそのカードが所定の挿入位置へ挿入されるのを確実に規制できる。
【０１１７】
請求項６記載のカード誤挿入防止装置によれば、請求項５記載のカード誤挿入防止装置の効果に加えて、カードの両側の切欠部の厚み方向の幅と両側の突部の厚み方向の幅とを異ならせるため、カードの表裏面の逆挿入を確実に防止できる。
【図面の簡単な説明】
【図１】  本発明の第１の実施の形態を示すカード誤挿入防止装置および正規のカードの斜視図である。
【図２】  同上カード誤挿入防止装置および正規のカードの平面図である。
【図３】  同上カード誤挿入防止装置および正規のカードの右側面図である。
【図４】  同上カード誤挿入防止装置を示し、(a)は平面図、(b)は正面図、(c)は背面図、(d)は左側面図、(e)は右側面図、(f)は底面図である。
【図５】  同上カード誤挿入防止装置の突部を示し、(a)は左側の突部の正面図、(b)は右側の突部の正面図である。
【図６】  同上カード誤挿入防止装置に正規のカードを挿入した斜視図である。
【図７】  同上カード誤挿入防止装置に正規のカードを挿入した平面図である。
【図８】  同上カード誤挿入防止装置に正規のカードを挿入した右側面図である。
【図９】  同上カード誤挿入防止装置によって正規の幅より狭いカードの挿入を規制した状態を示す斜視図である。
【図１０】  同上カード誤挿入防止装置によって正規の幅より狭いカードの挿入を規制した状態を示すである。
【図１１】  同上カード誤挿入防止装置の厚み規制用ストッパ部によって正規の厚みより薄いカードの挿入を規制した状態を示す斜視図である。
【図１２】  同上カード誤挿入防止装置の厚み規制用ストッパ部によって正規の厚みより薄いカードの挿入を規制した状態を示す平面図である。
【図１３】  同上カード誤挿入防止装置の突部によって正規の厚みより薄いカードの挿入を規制した状態を示す斜視図である。
【図１４】  同上カード誤挿入防止装置の突部によって正規の厚みより薄いカードの挿入を規制した状態を示す平面図である。
【図１５】  同上正規のカードを示し、(a)は平面図、(b)は左側面図、(c)は右側面図、(d)は背面図（挿入方向の端面図）である。
【図１６】  本発明の第２の実施の形態を示すカード誤挿入防止装置および正規のカードの斜視図である。
【図１７】  同上カード誤挿入防止装置を示し、(a)は平面図、(b)は正面図、(c)は背面図、(d)は左側面図、(e)は右側面図、(f)は底面図である。
【図１８】  同上カード誤挿入防止装置に正規のカードを挿入した斜視図である。
【図１９】  同上カード誤挿入防止装置に正規のカードを挿入した平面図である。
【図２０】  同上カード誤挿入防止装置に正規のカードを挿入した右側面図である。
【図２１】  同上カード誤挿入防止装置によって正規の幅より狭いカードの挿入を規制した状態を示す斜視図である。
【図２２】  同上カード誤挿入防止装置によって正規の幅より狭いカードの挿入を規制した状態を示す平面図である。
【図２３】  同上カード誤挿入防止装置によって正規の幅よりさらに狭いカードの挿入を規制した状態を示す斜視図である。
【図２４】  同上カード誤挿入防止装置によって正規の幅よりさらに狭いカードの挿入を規制した状態を示す平面図である。
【図２５】  本発明の第３の実施の形態を示すカード誤挿入防止装置および正規のカードの斜視図である。
【図２６】  同上カード誤挿入防止装置を示し、(a)は平面図、(b)は正面図、(c)は背面図、(d)は左側面図、(e)は右側面図、(f)は底面図である。
【図２７】  同上カード誤挿入防止装置に正規のカードを挿入した斜視図である。
【図２８】  同上カード誤挿入防止装置に正規のカードを挿入した平面図である。
【図２９】  同上カード誤挿入防止装置に正規のカードを挿入した右側面図である。
【符号の説明】
11    カード
15a，15b    切欠部
21    カード誤挿入防止装置
22    本体部
23    カード挿入口
24    カード挿入部
29    幅規制部
33a，33b    幅規制用当接部
34a，34b    幅規制用ストッパ部
39    厚み規制部
41a，41b    厚み規制用当接部
44a，44b    厚み規制用ストッパ部
45a，45b    突部
48    隔離部材
55a，55b    幅規制用当接部
56a，56b    幅規制用ストッパ部
62a，62b    傾斜部
64a，64b    幅規制用当接部
65a，65b    幅規制用ストッパ部
【図１】
0003871303.tif 000002
【図２】
0003871303.tif 000003
【図３】
0003871303.tif 000004
【図４】
0003871303.tif 000005
【図５】
0003871303.tif 000006
【図６】
0003871303.tif 000007
【図７】
0003871303.tif 000008
【図８】
0003871303.tif 000009
【図９】
0003871303.tif 000010
【図１０】
0003871303.tif 000011
【図１１】
0003871303.tif 000012
【図１２】
0003871303.tif 000013
【図１３】
0003871303.tif 000014
【図１４】
0003871303.tif 000015
【図１５】
0003871303.tif 000016
【図１６】
0003871303.tif 000017
【図１７】
0003871303.tif 000018
【図１８】
0003871303.tif 000019
【図１９】
0003871303.tif 000020
【図２０】
0003871303.tif 000021
【図２１】
0003871303.tif 000022
【図２２】
0003871303.tif 000023
【図２３】
0003871303.tif 000024
【図２４】
0003871303.tif 000025
【図２５】
0003871303.tif 000026
【図２６】
0003871303.tif 000027
【図２７】
0003871303.tif 000028
【図２８】
0003871303.tif 000029
【図２９】
0003871303.tif 000030